(57)【特許請求の範囲】
【請求項１】
コーナー位置の支柱を笠木の交点とするように該コーナー位置の支柱とこれに直交する交差方向に配置した交差位置の支柱に笠木を平面Ｌ字状に載置固定した手摺であって、上記各支柱の断面形状を、交差位置の支柱において四角形、コーナー位置の支柱において四角形の対角線又はその平行線を底辺とする三角又は五角形に形成し、該コーナー位置の支柱における直交する２辺の頂点をコーナー内角に向けてその中心線上に配置することによって該コーナー位置の支柱の直交する２辺を交差位置の支柱側面と平行な笠木交差面とし且つ底辺をコーナー外角に向けて上記コーナー内角の中心線に対して直交する幅広交差面としてなり、
上記交差位置の支柱とコーナー位置の支柱に対する笠木の載置固定が、これら支柱に設置したブラケットと、該ブラケットに笠木を連結支持自在とする笠木ジョイントとを介して行なわれ、
上記コーナー位置の支柱に対する笠木の載置固定に用いられるコーナー用笠木ジョイントには、該コーナー位置の支柱に対する笠木の載置固定に用いられるコーナー用ブラケットと直交する中心軸回りに円弧を描く２つのスリットが対向配置されて設けられており、
上記コーナー用笠木ジョイントが、上記２つのスリットそれぞれを貫通した２本のネジによって上記コーナー用ブラケットに固定されることを特徴とする手摺。
【請求項２】
上記交差位置の支柱の前後面、コーナー位置の支柱の幅広交差面の長手方向全長にそれぞれ化粧プレートを装着することによって、上記支柱の断面形状を、該化粧プレートを含めて形成してなることを特徴とする請求項１に記載の手摺。
【請求項３】
上記化粧プレートの装着を、交差位置の支柱の前後面、コーナー位置の支柱の幅広交差面に形成した凹溝にスライド又はスナップイン係合条を配置し、該係合条に化粧プレートの凹溝挿入脚に形成した係合条を係合することによって行ってなることを特徴とする請求項１又は２に記載の手摺。
【請求項４】
上記コーナー用笠木ジョイントが、上記コーナー用ブラケットに水平方向回動自在又は水平方向及び傾斜方向回動自在に笠木を連結支持自在とすることを特徴とする請求項１、２又は３に記載の手摺。
【発明の詳細な説明】
【技術分野】
【０００１】
本発明は、例えば、住宅や、公共施設の出入口等に設置使用する手摺に関する。
【背景技術】
【０００２】
この種の手摺は、例えば、下記特許文献１に記載されるように、コーナー位置の支柱を笠木の交点とするように該コーナー位置の支柱とこれに直交する交差方向に配置した交差位置の支柱によって笠木を平面Ｌ字状に載置固定したものとされ、このとき上記各支柱の断面形状は、交差位置の支柱において矩形、コーナー位置の支柱において方形に形成したものとされ、このとき、上記交差位置の支柱とコーナー位置の支柱に対する笠木の載置固定は、これら支柱に設置したブラケットと、該ブラケットに水平方向回動自在又は水平方向及び傾斜方向回動自在に笠木を連結支持自在とする笠木ジョイントを介して行なったものとされており、これによって、上記住宅や公共施設の平地の出入口に平面Ｌ字状の手摺を水平に設置し、また、傾斜地に該平面Ｌ字状の手摺を傾斜して設置するものとされる。
【先行技術文献】
【特許文献】
【０００３】
【特許文献１】特許第４３２０６３９号公報
【発明の概要】
【発明が解決しようとする課題】
【０００４】
この場合、平地や傾斜地に平面Ｌ字状とした手摺を設置することによって、歩行路を画し、また、該手摺に沿う伝い歩きを行うことができ、また、例えば、階段上部に配置した玄関前の平地や傾斜地の場合、手摺が高所の境界位置に設置されるから、歩行路から人の転落を防止することができ、従って、手摺としての機能を充分に発揮することができる。
【０００５】
しかし乍ら、該手摺は、交差位置及びコーナー位置の支柱を矩形乃至方形とするから、コーナー位置の支柱が交差位置の支柱に対して大型化するとともにコーナー内角及びコーナー外角にそれぞれコーナー位置の支柱の角が突出する形態となって、違和感を感じさせたり、外観を損なったりする結果を招き易い。特に、上記階段上部に配置した玄関前の平地や傾斜地に手摺を設置したとき、該コーナー位置の支柱を外角側の外側から見上げると、その角が強調されるように外側に突出することによって、違和感を増大させるものとなり易い。
【０００６】
本発明はかかる事情に鑑みてなされたもので、その解決課題とするところは、コーナー位置の支柱を笠木の交点とするように該コーナー位置の支柱とその直交する交差方向に配置した交差位置の支柱によって笠木を平面Ｌ字状に支持した手摺にあって、そのコーナー位置の支柱を可及的良好な外観を呈するようにするとともにその支柱の強度を充分に確保して、笠木の支持を安定且つ確実になし得るようにした手摺を提供するにある。
【課題を解決するための手段】
【０００７】
上記課題に沿って本発明は、交差位置の支柱の断面形状を四角形とする一方、コーナー位置の支柱の断面形状を三角形又は五角形として、支柱強度の確保と笠木の安定且つ確実な支持をなし得るようにするとともに該コーナー位置の支柱の配置を、断面三角形又は五角形における直交２辺の頂点をコーナーの内側に、底辺をコーナーの外側に位置するようにして、コーナーの内側において交差位置の支柱の側面と平行な笠木交差面とし、コーナーの外側において幅広交差面として、内側及び外側のいずれにおいても、手摺を見上げる場合を含めて、良好な外観を確保し得るようにしたものであって、即ち、請求項１に記載の発明を、コーナー位置の支柱を笠木の交点とするように該コーナー位置の支柱とこれに直交する交差方向に配置した交差位置の支柱に笠木を平面Ｌ字状に載置固定した手摺であって、上記各支柱の断面形状を、交差位置の支柱において四角形、コーナー位置の支柱において四角形の対角線又はその平行線を底辺とする三角又は五角形に形成し、該コーナー位置の支柱における直交する２辺の頂点をコーナー内角に向けてその中心線上に配置することによって該コーナー位置の支柱の直交する２辺を交差位置の支柱側面と平行な笠木交差面とし且つ底辺をコーナー外角に向けて上記コーナー内角の中心線に対して直交する幅広交差面としてなり、上記交差位置の支柱とコーナー位置の支柱に対する笠木の載置固定が、これら支柱に設置したブラケットと、該ブラケットに笠木を連結支持自在とする笠木ジョイントとを介して行なわれ、上記コーナー位置の支柱に対する笠木の載置固定に用いられるコーナー用笠木ジョイントには、該コーナー位置の支柱に対する笠木の載置固定に用いられるコーナー用ブラケットと直交する中心軸回りに円弧を描く２つのスリットが対向配置されて設けられており、上記コーナー用笠木ジョイントが、上記２つのスリットそれぞれを貫通した２本のネジによって上記コーナー用ブラケットに固定されることを特徴とする手摺としたものである。
【０００８】
請求項２に記載の発明は、上記に加えて、上記交差位置の支柱の前後面及びコーナー位置の支柱の底辺による幅広交差面に化粧プレートを配置して上記断面形状のものとし、これら支柱を上記断面形状を変化することなく、化粧プレートのアクセントを付した外観を更に良好なものとするように、これを、上記交差位置の支柱の前後面、コーナー位置の支柱の幅広交差面の長手方向全長にそれぞれ化粧プレートを装着することによって、上記支柱の断面形状を、該化粧プレートを含めて形成してなることを特徴とする請求項１に記載の手摺としたものである。
【０００９】
請求項３に記載の発明は、同じく上記に加えて、上記化粧プレートを簡易且つ確実に行うとともに化粧プレートの装着を納まりよく行うものとするように、これを、上記化粧プレートの装着を、交差位置の支柱の前後面、コーナー位置の支柱の幅広交差面に形成した凹溝にスライド又はスナップイン係合条を配置し、該係合条に化粧プレートの凹溝挿入脚に形成した係合条を係合することによって行ってなることを特徴とする請求項１又は２に記載の手摺としたものである。
【００１０】
請求項４に記載の発明は、同じく上記に加えて、笠木を支柱設置のブラケットに笠木ジョイントを介して安定且つ確実に載置固定するとともに必要に応じて笠木を傾斜方向に回動自在に固定しうるものとするように、これを、上記コーナー用笠木ジョイントが、上記コーナー用ブラケットに水平方向回動自在又は水平方向及び傾斜方向回動自在に笠木を連結支持自在とする笠木ジョイントを介して行なってなることを特徴とする請求項１、２又は３に記載の手摺としたものである。
【００１１】
本発明はこれらをそれぞれ発明の要旨として上記課題解決の手段としたものである。
【発明の効果】
【００１２】
本発明は以上のとおりに構成したから、請求項１に記載の発明は、交差位置の支柱の断面形状を方形又は矩形とする一方、コーナー位置の支柱の断面形状を三角形又は五角形として、支柱強度の確保と笠木の安定且つ確実な支持をなし得るようにするとともに該コーナー位置の支柱の配置を、断面三角形又は五角形における直交２辺の頂点をコーナーの内側に、底辺をコーナーの外側に位置するようにして、コーナーの内側において交差位置の支柱の側面と平行な笠木交差面とし、コーナーの外側において幅広交差面として、内側及び外側のいずれにおいても、手摺を見上げる場合を含めて、良好な外観を確保し得るようにした手摺を提供することができる。また、笠木を支柱設置のブラケットに笠木ジョイントを介して安定且つ確実に載置固定することができる。
【００１３】
請求項２に記載の発明は、上記に加えて、上記交差位置の支柱の前後面及びコーナー位置の支柱の底辺による幅広交差面に化粧プレートを配置して上記断面形状のものとし、これら支柱を上記断面形状を変化することなく、化粧プレートのアクセントを付した外観を更に良好なものとすることができる。
【００１４】
請求項３に記載の発明は、同じく上記に加えて、上記化粧プレートを簡易且つ確実に行うとともに化粧プレートの装着を納まりよく行うものとすることができる。
【００１５】
請求項４に記載の発明は、同じく上記に加えて、必要に応じて笠木を傾斜方向に回動自在に固定しうるものとすることができる。
【図面の簡単な説明】
【００１６】
【図１】手摺の平面図である。
【図２】手摺の正面図である。
【図３】手摺のコーナー部分の側面図である。
【図４】コーナー位置の支柱における笠木支持の状態を示す斜視図である。
【図５】コーナー位置の支柱と笠木の関係を示す拡大平面図である。
【図６】コーナー位置の支柱の横断面図である。
【図７】交差位置の支柱の横断面図である。
【図８】コーナー位置の支柱の笠木設置状態を示す分解斜視図である。
【図９】ブラケットと下位の重合ジョイントの関係を示す平面図である。
【図１０】ブラケットと下位の重合ジョイントの関係を示す縦断面図である。
【図１１】交差位置のブラケットと笠木ジョイントの関係を示す縦断面図である。
【発明を実施するための形態】
【００１７】
以下図面の例に従って本発明を更に具体的に説明すれば、Ａは手摺であり、該手摺Ａは、コーナー位置の支柱１ｂを笠木３の交点とするように該コーナー位置の支柱１ｂとこれに直交する交差方向に配置した交差位置の支柱１ａに笠木３を平面Ｌ字状に載置固定した手摺であって、上記各支柱１ａ、１ｂの断面形状を、交差位置の支柱１ａにおいて方形又は矩形、コーナー位置の支柱１ｂにおいて四角形の対角線又はその平行線を底辺とする三角又は五角形に形成し、該コーナー位置の支柱１ａにおける直交する２辺の頂点をコーナー内角に向けてその中心線上に配置することによって該コーナー位置の支柱１ａの直交する２辺を交差位置の支柱側面と平行な笠木交差面１３とし且つ底辺をコーナー外角に向けて上記コーナー内角の中心線に対して直交する幅広交差面１４としたものとしてあり、本例にあって、上記交差位置の支柱１ａの前後面、コーナー位置の支柱１ｂの幅広交差面１４の長手方向全長にそれぞれ化粧プレート２を装着することによって、上記支柱１ａ、１ｂの断面形状を、該化粧プレート２を含めて形成したものとしてある。
【００１８】
手摺Ａは、アルミ押出材を加工した支柱１ａ、１ｂ及び笠木３を用いたアルミ製としてあり、支柱は、コーナーに位置するコーナー位置の支柱１ｂと、コーナーに至る該コーナー位置の支柱１ｂと平面Ｌ字状に交差するように該支柱１ｂの直交方向に配置した直交方向各片側に単一又は複数の交差方向の支柱１ａの２種類を用いてある。
【００１９】
交差位置の支柱１ａは、例えば、前後面を３ｃｍ、側面を５ｃｍとするように、前後面を短く、奥行き方向の側面を長くして断面矩形とした中空材によるものとしてあり、また、コーナー位置の支柱１ｂは、四角形、特に５ｃｍ四方の方形の対角線又はその平行線、本例にあっては平行線を底辺とする五角形としてあり、例えば、該対角線より隣接する２辺側に１〜１．５ｃｍ程度変位した位置を対角線と平行に結んだ底辺を形成して、直交する２辺、上記隣接する短寸の２辺、該底辺によって五角形をなすようにした、同じく中空材によるものとしてある。
【００２０】
このとき、交差位置の支柱１ａの前後面、コーナー位置の支柱１ｂの底辺、即ち幅広交差面１４には、例えば、開口幅を３ｃｍ弱、深さを１ｃｍ弱とするように、凹溝１１を配置するとともに該凹溝１１にスライド又はスナップイン係合条、本例にあってはスナップイン係合条１２を配置してあり、本例にあって該スナップイン係合条１２は、上記凹溝１１の対向壁の奥行方向中間位置に対向突設した対向突条によるものとしてある。
【００２１】
化粧プレート２は、上記凹溝１１の開口幅に合せた横幅を有するプレート基板２１と、該プレート基板２１の端部近傍に裏面に向けて起立した凹溝挿入脚２２を備えるとともに該凹溝挿入脚２２の突出方向中間に上記係合条に係合自在の係合条、本例にあっては先端に断面Ｌ字状をなす如くに断面Ｌ字状に係合突起を突出配置した断面ハット状をなす、例えばアルミ押出材又は合成樹脂押出材による、交差位置の支柱１ａ及びコーナー位置の支柱１ｂに共通のものとしてあり、該化粧プレート２は、上記各支柱１ａ、１ｂの凹溝１１に配置したスナップイン係合条１２に化粧プレート２の凹溝挿入脚２２に形成した係合条を係合、即ち、該凹溝挿入脚２２を各支柱１ａ、１ｂの凹溝１１にその正面側から圧入し、係合突起を、該凹溝１１の上記スナップイン係合条１２に係止するように係合することによって、そのスナップイン係合を施してその装着を行ったものとしてある。
【００２２】
笠木３は、奥行幅を、５．５〜６ｃｍ程度として高さを２．５ｃｍ程度とし、本例にあって、下面に凹溝３１を配置し且つその対向壁にスライドガイド３２を配置し、該スライドガイド３２を用いて後述の笠木ジョイント５を取り付けるようにしてあり、また、該スライドガイド３２を係合条として該笠木ジョイント５の取付後にそのネジ隠しを行うように、該係合条に係合する図示省略の溝塞ぎ材を装着したものとしてある。
【００２３】
このように形成した交差位置の支柱１ａ、コーナー位置の支柱１ｂに対する笠木３の載置固定は、これを、これら支柱１ａ、１ｂに設置したブラケット４と、該ブラケット４に水平方向回動自在又は水平方向及び傾斜方向回動自在に笠木３を連結支持自在とする笠木ジョイント５を介して行なったものとしてある。
【００２４】
本例にあってブラケット４は、交差位置の支柱１ａとコーナー位置の支柱１ｂの各中空材の中空部に嵌合固定した嵌合脚部４１と、該嵌合脚部４１の上端を外方に張出状にして支柱の上端を覆うキャップ４２と、該キャップ４２上に起立配置したジョイント連結突起４３を備えた合成樹脂又はアルミ鋳物の成形部材によるものとしてあり、上記嵌合突起４１は、中空部に嵌合するブロック状又は複数面のプレート状のものとし、上記キャップ４２は、交差位置の支柱１ａにおいて該支柱形状に合せて矩形、コーナー位置の支柱１ｂにおいて該支柱形状に合せて五角形とし、上記ジョイント連結突起４３は、交差位置の支柱１ａにおいて該キャップ４２上に平行一対にして面内中間位置に前後方向に向けた透孔を配置した半円状突起とし、コーナー位置の支柱１ｂにおいて、キャップ４２上に対向一対にして上端にネジ受孔を配置した短寸柱状突起としてある。
【００２５】
笠木ジョイント５は、交差位置の支柱１ａにおいて、上記スライドガイド３２に沿って笠木３の凹溝３１にその長手方向端部から挿入した取付プレート５１と、該取付プレート５１にネジ止めしてスライドガイド３２を挟持したジョイント基板５２と、該ジョイント基板５２の下面に下向きに突出して上記ブラケット４における平行一対の半円状突起によるジョイント連結突起４３間に挿入して、該半円状突起の透孔に軸支固定した、同じく前後方向に向けた透孔を有する半円状の下向き突起５３を備えた、同じく合成樹脂又はアルミ鋳物の成形部材によるものとしてあり、これによって該笠木ジョイント５は、笠木３に露出することなく、該笠木３を交差位置の支柱１ａに下支え支持して、その載置固定を行ったものとしてある。
【００２６】
また、該笠木ジョイント５は、コーナー位置の支柱１ｂにおいて、水平方向回動自在の重合一対にして中央位置に透孔を透設した回動ジョイント又はこれと傾斜回動用の傾斜ジョイント、本例にあっては重合一対の回動ジョイント６ａ、６ｂと傾斜ジョイント７の双方を備えた、同様に合成樹脂又はアルミ鋳物の成形部材によるものとしてある。このとき回動ジョイント６ａ、６ｂは、その上下位双方を、外周を円弧とした回動基板６１と、該回動基板６１の片側端部に突出した、本例にあって前後に一対にして面内中間位置に前後方向に向けた透孔を透設した連結突起６２を備えたものとしてあり、下位の回動ジョイント６ｂにあって、その回動基板６１には、その面内に同心円上に１／４円の角度に配置したネジ頭を受入れ且つネジ軸を通過自在の湾曲溝６３を対向配置したものとしてあり、該湾曲溝６３を介してネジ８を、上記ブラケット４の短寸柱状突起とした連結突起４３のネジ受孔に螺入することによって、その回動基板６１を該短寸柱状突起上に載置してネジ止め固定してある。
【００２７】
上下位の回動ジョイント６ａ、６ｂの回動基板６１は、これを重合して上位の回動ジョイント６ａの軸支孔から下位の回動ジョイント６ｂのネジ受孔にネジ８を螺入して、上位の回動ジョイント６ａを回動自在に軸支固定してある。このとき、該上下位の回動ジョイント６ａ、６ｂの各連結突起６２は、その回動基板６１との間に段差を形成するように回動基板６１に摺接する円弧壁を形成してあり、これによって、上位の回動ジョイント６ａを安定して回動する回動ガイドをなすようにしてある。
【００２８】
傾斜ジョイント７は、該回動ジョイント６ａ、６ｂの上記一対の連結突起６２間に挿入して、その透孔に軸支固定した、同じく前後方向に向けた透孔を備えた連結突起７１と、該連結突起７１から側方に突出した笠木嵌合突起７２を備えた同じく合成樹脂又はアルミ鋳物の成形部材によるものとしてあり、該笠木嵌合突起７２を、笠木３の中空部長手方向端部に嵌合して、笠木３の下面からのネジ８で該笠木３の端部にネジ止め固定してある。
【００２９】
このように交差位置の支柱１ａ及びコーナー位置の支柱１ｂにブラケット４と笠木ジョイント５を介して笠木３を載置固定した手摺Ａは、交差位置の支柱１ａの上記化粧プレート２を前後面、即ち、正面及び背面に配置したものとなるところ、コーナー位置の支柱１ｂにあっては、これを、その直交する２辺の頂点を直交するコーナー内角に向けてその中心線上に位置するようにして、該２辺を交差位置の支柱側面と平行な上記笠木交差面１３とするとともに底辺をコーナー外角に向けて上記コーナー内角の中心線に対して直交する幅広交差面１４とするように配置して、住宅の階段上部に配置した玄関前の平地や、公共施設の出入口前の傾斜地に設置使用するものとしてある。
【００３０】
従って、該手摺Ａを、内角側、即ち、内側側からみたとき、コーナー位置の支柱１ｂにおける上記直交する２面の笠木交差面１３が、各交差位置の支柱１ａの側面とそれぞれ平行にして笠木３に交差して、笠木３支持の安定感を呈する一方、外角側、即ち、見上げる場合を含めて、外側から見たとき、支柱１ｂの幅広交差面１４がコーナーに位置することによって、同じく外角側でも笠木３支持の安定感を呈するものとなる一方、一般に交差位置の支柱より大きくなる傾向のあるコーナー位置の支柱１ｂの大きさを抑制して、スマートな印象を呈するものとすることができる。このとき、本例のコーナー位置の支柱１ｂは、該幅広交差面１４に化粧プレート２を配置したから、該化粧プレート２が手摺Ａのアクセントをなすように作用し、上記外側における外観を更に向上することができ、本例にあっては交差位置の支柱１ａの化粧プレート２と相俟って手摺Ａの外観を更に向上することができる。
【００３１】
図示した例は以上のとおりとしたが、交差位置の支柱を方形のものとすること、コーナー位置の支柱を、四角形方形又は矩形の仮想四角形の対角線を結ぶことによって、上記断面五角形のものに代えて、断面三角形のものとすること、化粧プレートの装着を、コーナー位置の支柱の幅広交差面に形成した凹溝にスライド係合条を配置し、該係合条に該化粧プレートの凹溝挿入脚に形成した係合条をスライド係合することによって行うようにすること等を含めて、本発明の実施に当って、手摺、コーナー位置の支柱、交差位置の支柱、笠木、これらの断面形状、必要に応じて用いる化粧プレート、ブラケット、笠木ジョイント等の各具体的形状、構造、これらの関係、これらに対する付加等は、上記発明の要旨に反しない限り様々な形態のものとすることができる。
【符号の説明】
【００３２】
Ａ  手摺
１ａ  交差位置の支柱
１ｂ  コーナー位置の支柱
１１  凹溝
１２  スナップイン係合条
１３  笠木交差面
１４  幅広交差面
２  化粧プレート
２１  プレート基板
２２  凹溝挿入脚
３  笠木
３１  凹溝
３２  スライドガイド
４  ブラケット
４１  嵌合脚部
４２  キャップ
４３  連結突起
５  笠木ジョイント
５１  取付プレート
５２  ジョイント基板
５３  下向き突起
６ａ  上位の回動ジョイント
６ｂ  下位の回動ジョイント
６１  回動基板
６２  連結突起
６３  湾曲溝
７  傾斜ジョイント
７１  連結突起
７２  笠木嵌合突起
８  ネジ
【図１】
0005570828.tif 000002
【図２】
0005570828.tif 000003
【図３】
0005570828.tif 000004
【図４】
0005570828.tif 000005
【図５】
0005570828.tif 000006
【図６】
0005570828.tif 000007
【図７】
0005570828.tif 000008
【図８】
0005570828.tif 000009
【図９】
0005570828.tif 000010
【図１０】
0005570828.tif 000011
【図１１】
0005570828.tif 000012